(57)【特許請求の範囲】
【請求項１】
カソードから順次蛍光体スクリーン方向に配置された複数個の電極を有し、同一平面上を通るセンタービームおよび一対のサイドビームからなる一列配置の３電子ビームを放出する電子銃と、陽極電圧を所定の電圧に抵抗分割する抵抗器とを備え、上記複数個の電極が少なくとも上記陽極電圧の印加される少なくとも１個の電極と、上記抵抗分割された電圧の印加される少なくとも１個の電極と、上記３電子ビームの偏向に同期して変化するカラー受像管外部から供給されるダイナミック・フォーカス電圧の印加される少なくとも１個の電極と、カラー受像管外部から供給される一定の電圧の印加される少なくとも１個の電極とからなり、上記抵抗分割された電圧の印加される少なくとも１個の電極に上記ダイナミック・フォーカス電圧の変動成分が電極間の静電容量を介して重畳されるカラー受像管において、
上記陽極電圧の印加される少なくとも１個の電極と、上記ダイナミック・フォーカス電圧の印加される少なくとも１個の電極との間には、上記一対のサイドビームの軌道を変化させる偏心レンズを含む主レンズ部が形成され、上記抵抗分割された電圧の印加される少なくとも１個の電極と、上記一定の電圧の印加される少なくとも１個の電極との対向面に形成される電子レンズは、ダイナミック・フォーカス電圧の印加される少なくとも１個の電極の電位が変動することによる上記主レンズ部の偏心レンズの作用の変化分を相殺するように、その作用が変化することを特徴とするカラー受像管。
【請求項２】
上記抵抗分割された電圧の印加される少なくとも１個の電極と、上記カラー受像管外部から供給される一定の電圧の印加される少なくとも１個の電極とは対向し、これら電極のいずれか一方の電極の対向面に他方の電極の上記対向面に形成された一対のサイドビーム通過孔に対して３電子ビームの配列方向に偏心した一対のサイドビーム通過孔が形成されていることを特徴とする請求項１記載のカラー受像管。
【請求項３】
上記抵抗分割された電圧の印加される少なくとも１個の電極と、上記ダイナミック・フォーカス電圧が印加される少なくとも１個の電極とは対向し、これら電極のいずれか一方の電極の対向面に他方の電極の上記対向面に形成された一対のサイドビーム通過孔に対して３電子ビームの配列方向に偏心した一対のサイドビーム通過孔が形成されていることを特徴とする請求項１または２記載のカラー受像管。
【発明の詳細な説明】
【０００１】
【産業上の利用分野】
この発明は、同一平面上を通る一列配置の３電子ビームを放出する電子銃を有するカラー受像管に係り、特に画面全域にわたり良好なコンバーゼンスが得られるダイナミックフォーカス方式の電子銃を有するカラー受像管に関する。
【０００２】
【従来の技術】
一般にカラー受像管は、青，緑，赤に発光する３色蛍光体層からなる蛍光体スクリーンを有し、電子銃から放出される３電子ビームを偏向装置の発生する磁界により偏向して、上記蛍光体スクリーンを水平、垂直走査することにより、カラー画像を表示する構造に形成されている。このようなカラー受像管において、電子銃から放出される３電子ビームを、同一水平面上を通るセンタービームおよび一対のサイドビームからなる一列配置の３電子ビームとしたインライン型カラー受像管が、現在カラー受像管の主流となっている。
【０００３】
一般にインライン型カラー受像管の電子銃は、水平方向に一列配置された３個のカソード、このカソードから順次蛍光体スクリーン方向に配置された電子ビーム発生部および主レンズ部を形成する一体構造の複数個の電極を有する。その主レンズ部は、３電子ビームに対するフォーカス作用とスタッティック・コンバーゼンス作用をもち、この主レンズ部の作用により、３電子ビームは、蛍光体スクリーン上に小さなビームスポットを形成するように集束されると同時に、一対のサイドビームをセンタービームに近づける方向に曲げて蛍光体スクリーン上の一点に集中させる。
【０００４】
したがってこのようなカラー受像管の電子銃は、フォーカス電圧を調整すると、スタッティック・コンバーゼンスが不所望に変化するという問題がある。
【０００５】
このフォーカス電圧の調整とスタッティック・コンバーゼンスの変化の問題を解決する手段として、特公平１−４２１０９号公報には、集束電極のカソード側の電子ビーム通過孔近傍で一対のサイドビームをセンタービームに近づける方向に曲げる第１の軌道補正をおこない、主レンズ部で同様に一対のサイドビームをセンタービームに近づける方向に曲げる第２の軌道補正をおこない、フォーカス電圧の調整に対して、集束電極のカソード側での第１の軌道補正と主レンズ部での第２の軌道補正とを相補的に作用させる手段が示されている。
【０００６】
一方、最近大画面にしてかつ高精細、高品位の画像を表示するカラー受像管に対する要求が強い。このようなカラー受像管の電子銃として、新規な各種構造の電子銃が開発されている。その一つに、たとえば本発明者等による特開平２−２２３１３６号公報に示されている抵抗器分割方式の電子銃がある。この電子銃は、管内に配置された抵抗器により陽極電圧を分割して、主レンズを構成する電極に供給する構造に形成され、高精細、高品位の画像を表示するとともに、管内放電に対して、高い信頼性をもつものとなっている。
【０００７】
さらにこの抵抗器分割方式の電子銃において、フォーカス電圧を偏向装置の電子ビームの偏向に同期して変化させるようにしたダイナミック・フォーカス方式の電子銃も開発されている。
【０００８】
このダイナミック・フォーカス方式の電子銃の代表例を図６に示す。この電子銃１は、一列配置の３個のカソードＫから蛍光体スクリーン方向に順次所定間隔で配置された一体化構造の第１ないし第６グリッドＧ１  〜Ｇ６  と、その第５、第６グリッドＧ５  ，Ｇ６  間に配置された２個の中間電極ＧＭ１，ＧＭ２とを有する。これら各電極には、３個のカソードＫに対応して、センタービーム通過孔および一対のサイドビーム通過孔からなる一列配置の３個の電子ビーム通過孔が形成されているが、特に中間電極ＧＭ２の一対のサイドビーム通過孔と第６グリッドＧ６  の中間電極ＧＭ２側の一対のサイドビーム通過孔は、他の電極の一対のサイドビーム通過孔に対して、３電子ビーム２Ｂ  ，２Ｇ  ，２Ｒ  の配列方向の外側（銃軸から離れる方向）に偏心させて、蛍光体スクリーン上に３電子ビーム２Ｂ  ，２Ｇ  ，２Ｒ  を集中（スタテック・コンバーゼンス）させるものとなっている。
【０００９】
この電子銃１では、第３グリッドＧ３  と第５グリッドＧ５  に偏向装置の電子ビームの偏向に同期して変化させるダイナミック・フォーカス電圧ＶＤ  が印加され、２個の中間電極ＧＭ１，ＧＭ２に、それぞれ第６グリッドＧ６  に印加される陽極電圧Ｅｂ  を抵抗器３により分割して所定の電圧が印加される。それにより、カソードＫと第１、第２、第３グリッドＧ１  ，Ｇ２  ，Ｇ３  とにより電子ビーム発生部が形成され、第３、第４、第５グリッドＧ３  ，Ｇ４  ，Ｇ５  により電子ビーム発生部からの電子ビームを予備集束するサブレンズ部が、第５、第６グリッドＧ５  ，Ｇ６  と２個の中間電極ＧＭ１，ＧＭ２とにより最終的に電子ビームを蛍光体スクリーンに集束かつ集中する主レンズ部が形成される。
【００１０】
しかしこのような構成の電子銃１において、第３グリッドＧ３  と第５グリッドＧ５  にダイナミック・フォーカス電圧ＶＤ  を印加すると、その５グリッドＧ５  に順次隣接する中間電極ＧＭ１，ＧＭ２が高抵抗の抵抗器３から電圧が供給される構造であるため、これら電極Ｇ５  ，ＧＭ１，ＧＭ２間に形成される静電容量を介して、ダイナミック・フォーカス電圧ＶＤ  の変動成分が重畳され、中間電極ＧＭ１，ＧＭ２の電圧が変化する。そのため、画面周辺部でのコンバーゼンスがずれ、画像品位が低下するという問題がある。
【００１１】
【発明が解決しようとする課題】
上記のように、カラー受像管の電子銃の主レンズ部は、電子銃から放出される３電子ビームのフォーカス作用とスタテイック・コンバーゼンス作用をもち、３電子ビームを蛍光体スクリーン上に小さなビームスポットを形成するように集束すると同時に、一対のサイドビームをセンタービームに近づける方向に曲げて蛍光体スクリーン上の一点に集中させる。したがってこのカラー受像管の電子銃では、フォーカス電圧を調整すると、スタッティック・コンバーゼンスが変化するという問題がある。
【００１２】
特に最近大画面にしてかつ高精細、高品位の画像を表示するカラー受像管の電子銃として開発された抵抗器分割方式の電子銃において、これにダイナミック・フォーカス方式を適用すると、画面周辺部でコンバーゼンスがずれ、画像品位が低下するという問題がある。
【００１３】
この発明は、上記問題点を解決するためになされたものであり、フォーカス電圧を電子ビームの偏向に同期して変化させるダイナミック・フォーカス方式の電子銃を備えるカラー受像管において、画面周辺部でのコンバーゼンスのずれをなくし、画面全域にわたり品位良好な画像を表示するカラー受像管を構成することを目的とする。
【００１４】
【課題を解決するための手段】
カソードから順次蛍光体スクリーン方向に配置された複数個の電極を有し、同一平面上を通るセンタービームおよび一対のサイドビームからなる一列配置の３電子ビームを放出する電子銃と、陽極電圧を所定の電圧に抵抗分割する抵抗器とを備え、複数個の電極が少なくとも陽極電圧の印加される少なくとも１個の電極と、抵抗分割された電圧の印加される少なくとも１個の電極と、３電子ビームの偏向に同期して変化するカラー受像管外部から供給されるダイナミック・フォーカス電圧の印加される少なくとも１個の電極と、カラー受像管外部から供給される一定の電圧の印加される少なくとも１個の電極とからなり、抵抗分割された電圧の印加される少なくとも１個の電極にダイナミック・フォーカス電圧の変動成分が電極間の静電容量を介して重畳されるカラー受像管において、陽極電圧の印加される少なくとも１個の電極と、ダイナミック・フォーカス電圧の印加される少なくとも１個の電極との間には、一対のサイドビームの軌道を変化させる偏心レンズを含む主レンズ部が形成され、抵抗分割された電圧の印加される少なくとも１個の電極と、一定の電圧の印加される少なくとも１個の電極との対向面に形成される電子レンズは、ダイナミック・フォーカス電圧の印加される少なくとも１個の電極の電位が変動することによる主レンズ部の偏心レンズの作用の変化分を相殺するように、その作用を変化させている。
【００１５】
また、抵抗分割された電圧の印加される少なくとも１個の電極と、カラー受像管外部から供給される一定の電圧の印加される少なくとも１個の電極とは対向し、これら電極のいずれか一方の電極の対向面に他方の電極の対向面に形成された一対のサイドビーム通過孔に対して３電子ビームの配列方向に偏心した一対のサイドビーム通過孔を形成した。あるいはまた、抵抗分割された電圧の印加される少なくとも１個の電極と、ダイナミック・フォーカス電圧が印加される少なくとも１個の電極とは対向し、これら電極のいずれか一方の電極の対向面に他方の電極の対向面に形成された一対のサイドビーム通過孔に対して３電子ビームの配列方向に偏心した一対のサイドビーム通過孔を形成している。
【００１６】
【作用】
上記のように構成すると、フォーカス電圧の調整時に、フォーカス電圧が印加される電極（ダイナミック・フォーカス電圧が印加される電極）のフォーカス電圧を変化させても、３電子ビームの軌道は変化せず、また３電子ビームの偏向に同期して変化するダイナミック・フォーカス電圧が印加されるとき、このダイナミック・フォーカス電圧の変動成分が電極間の静電容量を介して抵抗分割された電圧の印加される電極に重畳されても、抵抗分割された電圧の印加される少なくとも１個の電極とこの電極と対向する一定の電圧の印加される少なくとも１個の電極とにより形成される偏心レンズにより、一対のサイドビームの軌道を補正して、画面周辺部でのコンバーゼンスずれを補正することができる。
【００１７】
【実施例】
以下、図面を参照してこの発明を実施例に基づいて説明する。
【００１８】
図２にこの発明の一実施例であるインライン型カラー受像管を示す。このカラー受像管は、パネル１０およびこのパネル１０に一体に接合されたファンネル１１からなる外囲器を有し、そのパネル１０の内面に、青、緑、赤に発光するストライプ状の３色蛍光体層からなる蛍光体スクリーン１２が形成され、この蛍光体スクリーン１２に対向して、その内側にシャドウマスク１３が配置されている。一方、ファンネル１１のネック１５内に、同一水平面上を通るセンタービーム１６Ｇ  および一対のサイドビーム１６Ｂ  ，１６Ｒ  からなる一列配置の３電子ビーム１６Ｂ  ，１６Ｇ  ，１６Ｒ  を放出する電子銃１７が配設されている。またこの電子銃１７に沿って、その一側に抵抗器１８が配置されている。そして、上記電子銃１７から放出される３電子ビーム１６Ｂ  ，１６Ｇ  ，１６Ｒ  を、ファンネル１１の外側に装着された偏向装置２０の発生する磁界により偏向して、上記蛍光体スクリーン１２を水平、垂直走査することにより、カラー画像を表示する構造に形成されている。
【００１９】
上記電子銃１７の基本構成を図１により説明する。その図１（ａ）に示す電子銃１７は、図６に示した従来の電子銃の第５グリッドを２分割した構造に形成されており、水平方向に所定間隔で一列配置された３個のカソードＫ、これらカソードＫを各別に加熱する３個のヒータ（図示せず）、カソードＫから蛍光体スクリーン方向に順次所定間隔で配置された一体化構造の第１ないし第４グリッドＧ１  〜Ｇ４  、２分割された第５グリッドＧ５１，Ｇ５２、２個の中間電極ＧＭ１，ＧＭ２および第６グリッドＧ６  からなる。
【００２０】
その第１および第２グリッドＧ１  ，Ｇ２  は一体化構造の板状電極から、第４、第５、第６グリッドＧ４  ，Ｇ５１，Ｇ５２，Ｇ６  は一体化構造の筒状電極から、中間電極ＧＭ１，ＧＭ２は比較的板厚の厚い一体化構造の板状電極からなる。これら各電極には、３個のカソードＫに対応して、センタビーム通過孔および一対のサイドビーム通過孔からなる３個の電子ビーム通過孔が水平方向に一列配置に形成されているが、特にカソードＫ側に配置された第５グリッドＧ５１の第４グリッドＧ４  との対向面の一対のサイドビーム通過孔は、第４グリッドＧ４  の第５グリッドＧ５１との対向面の一対のサイドビーム通過孔に対して、また蛍光体スクリーン側に配置された中間電極ＧＭ２および第６グリッドＧ６  の中間電極ＧＭ２との対向面の一対のサイドビーム通過孔は、中間電極ＧＭ１の一対のサイドビーム通過孔に対して、それぞれ３電子ビーム１６Ｂ  ，１６Ｇ  ，１６Ｒ  の配列方向の外側に偏心している。
【００２１】
その第１グリッドＧ１には０Ｖ、第２、第４グリッドＧ２，Ｇ４には、カラー受像管外部からそれぞれ所定の直流電圧が、第３および第５グリッドＧ３，Ｇ５には、調整可能な一定の直流電圧に偏向装置の偏向周期に同期して変化する電圧が重畳されたダイナミック・フォーカス電圧ＶＤがそれぞれカラー受像管外部から、また第５グリッドＧ５１および中間電極ＧＭ１，ＧＭ２には、それぞれ抵抗器１８により陽極電圧Ｅｂを分割して得られる所定の電圧が、第６グリッドＧ６には、陽極電圧Ｅｂが印加される。
【００２２】
このような構成の電子銃１７では、フォーカス電圧の調整時、第３および第５グリッドＧ３  ，Ｇ５２に印加されるフォーカス電圧が変化しても、３電子ビーム１６Ｂ  ，１６Ｇ  ，１６Ｒ  の軌道は変化しない。
【００２３】
またこれら第３および第５グリッドＧ３  ，Ｇ５２にダイナミック・フォーカス電圧を印加すると、抵抗器１８を介して所定の電圧が印加される第５グリッドＧ５１および中間電極ＧＭ１，ＧＭ２に、その電極間の静電容量を介して、ダイナミック・フォーカス電圧の変動成分が重畳される。すなわち、図１（ａ）に対応して同（ｂ）に示すように、ダイナミック・フォーカス電圧を印加すると、第５グリッドＧ５２の電圧は、矢印２２で示すように上昇し、この第５グリッドＧ５２の電圧上昇にともなって、第５グリッドＧ５１および中間電極ＧＭ１，ＧＭ２の電圧が、それぞれ実線から破線で示すように上昇する。
【００２４】
このように中間電極ＧＭ１，ＧＭ２の電圧が上昇すると、中間電極ＧＭ１の一対のサイドビーム通過孔に対して、中間電極ＧＭ２および第６グリッドＧ６  の中間電極ＧＭ２との対向面の一対のサイドビーム通過孔が３電子ビーム１６Ｂ  ，１６Ｇ  ，１６Ｒ  の配列方向の外側に偏心しているため、一対のサイドビーム１６Ｂ  ，１６Ｒ  は、銃軸Ｚ上を通るセンタービーム１６Ｇ  から離れる方向に曲げられる。一方、第５グリッドＧ５１の電圧が上昇すると、第４グリッドＧ４  の第５グリッドＧ５１との対向面の一対のサイドビーム通過孔に対して、第５グリッドＧ５１の第４グリッドＧ４  との対向面の一対のサイドビーム通過孔が３電子ビーム１６Ｂ  ，１６Ｇ  ，１６Ｒ  の配列方向の外側に偏心しているため、一対のサイドビーム１６Ｂ  ，１６Ｒ  は、センタービーム１６Ｇ  に近づく方向に曲げられる。つまり、上記のように電子銃１７を構成すると、中間電極ＧＭ１と中間電極ＧＭ２および第６グリッドＧ６  との間に形成される一対のサイドビーム１６Ｂ  ，１６Ｒ  に対する偏心レンズに対して、第４グリッドＧ４  と第５グリッドＧ５１との間に形成される一対のサイドビーム１６Ｂ  ，１６Ｒ  に対する偏心レンズが相補的な作用をし、画面周辺部に偏向される３電子ビーム１６Ｂ  ，１６Ｇ  ，１６Ｒ  のコンバーゼンスずれを補正することができる。
【００２５】
つぎに、図１（ａ）に示した基本構成をもつ実用的な電子銃について説明する。
【００２６】
図３（ａ）に示す電子銃は、水平方向に所定間隔で一列配置された３個のカソードＫ、これらカソードＫを各別に加熱する３個のヒータ（図示せず）、上記カソードＫから蛍光体スクリーン方向に順次所定間隔で配置された一体構造の第１ないし第４グリッドＧ１  〜Ｇ４  、２分割された第５グリッドＧ５１，Ｇ５２および第６グリッドＧ６  からなる。
【００２７】
その第１および第２グリッドＧ１  ，Ｇ２  は一体化構造の板状電極から、第４、第５、第６グリッドＧ４  ，Ｇ５１，Ｇ５２，Ｇ６  は一体化構造の筒状電極からなる。これら各電極には、３個のカソードＫに対応して、センタビーム通過孔および一対のサイドビーム通過孔からなる３個の電子ビーム通過孔が水平方向に一列配置に形成されている。特にカソードＫ側に配置された第５グリッドＧ５１の第４グリッドＧ４  との対向面の一対のサイドビーム通過孔は、第４グリッドＧ４  の第５グリッドＧ５１との対向面の一対のサイドビーム通過孔に対して、また蛍光体スクリーン側に配置された第５グリッドＧ５２の第５グリッドＧ５１との対向面の一対のサイドビーム通過孔は、第５グリッドＧ５１の第５グリッドＧ５２との対向面の一対のサイドビーム通過孔に対して、また第６グリッドＧ６  の第５グリッドＧ５２との対向面の一対のサイドビーム通過孔は、第５グリッドＧ５２の第６グリッドＧ６  との対向面の一対のサイドビーム通過孔に対して、それぞれ３電子ビームの配列方向の外側に偏心している。
【００２８】
その第１グリッドＧ１には０Ｖ、第２グリッドＧ２と第４グリッドＧ４とは接続され、これら第２、第４グリッドＧ２，Ｇ４には、それぞれ約８００Ｖの直流電圧がカラー受像管外部から、また第３グリッドＧ３と第５グリッドＧ５２とは接続され、これら第３、第５グリッドＧ３，Ｇ５２には、調整可能な一定の直流電圧に電子ビームを偏向する偏向装置の偏向周期に同期して変化する振幅約１ＫＶ、周波数１３ｋＨｚ程度のパラボラ状の電圧が重畳されたダイナミック・フォーカス電圧ＶＤがカラー受像管外部から、また第５グリッドＧ５１には、抵抗器１８により陽極電圧Ｅｂ（２５ｋＶ〜３５ｋＶ）を分割して得られる所定の電圧が、第６グリッドＧ６には、陽極電圧Ｅｂがそれぞれ印加される。
【００２９】
それにより、カソードＫおよび第１、第２、第３グリッドＧ１  ，Ｇ２  ，Ｇ３  により電子ビーム発生部が形成され、第３、第４、第５グリッドＧ３  ，Ｇ４  ，Ｇ５１によりサブレンズ部が、第５、第６グリッドＧ５１，Ｇ５２，Ｇ６  により主レンズ部が形成され、電子ビーム発生部から得られる３電子ビームは、サブレンズ部で予備集束され、主レンズ部により最終的に蛍光体スクリーン上に集束されるとともに、第６グリッドＧ６  の第５グリッドＧ５２との対向面の一対のサイドビーム通過孔が、第５グリッドＧ５２の第６グリッドＧ６  との対向面の一対のサイドビーム通過孔に対して偏心していることにより、これら第５、第６グリッドＧ５２，Ｇ６  間に形成される偏心レンズにより、蛍光体スクリーンの中央上の一点に集中（スタティック・コンバーゼンス）される。
【００３０】
この電子銃１７では、フォーカス電圧の調整は、第３および第５グリッドＧ３  ，Ｇ５２に印加される直流電圧を調整することによりおこなわれるが、この場合、図３（ｂ）に実線２４で示すように、第５グリッドＧ５２の電圧が上がると、第５、第６グリッドＧ５２，Ｇ６  間に形成される偏心レンズの強度が変化し、一対のサイドビームは、３電子ビームの配列方向の外側に曲げられ、逆に第５グリッドＧ５２の電圧が下がると、３電子ビームの配列方向の内側に曲げられる。これに対し、第５グリッドＧ５２の第５グリッドＧ５１との対向面の一対のサイドビーム通過孔が第５グリッドＧ５１の第５グリッドＧ５２との対向面の一対のサイドビーム通過孔に対して偏心を適切にすることにより、これら第５グリッドＧ５１，Ｇ５２間に形成される偏心レンズは、第５グリッドＧ５２の電圧が上がると、一対のサイドビームを３電子ビームの配列方向の内側に曲げ、逆に第５グリッドＧ５２の電圧が下がると、３電子ビームの配列方向の外側に曲げる。その結果、一対のサイドビームの軌道を変化させないようにすることができる。
【００３１】
またカラー受像管の駆動時、図３（ｃ）に実線２５で示すように、第３および第５グリッドＧ３，Ｇ５２に偏向装置の偏向周期に同期して変化する電圧が重畳されたダイナミック・フォーカス電圧ＶＤを印加すると、そのダイナミック・フォーカス電圧ＶＤの変動成分が、抵抗器に接続された第５グリッドＧ５１との間の静電容量を介して第５グリッドＧ５１に重畳され、第５グリッドＧ５１の電位が破線２６で示すように上昇し、第５グリッドＧ５１，Ｇ５２間に形成される偏心レンズの強度が弱まる。その結果、画面周辺部のダイナミック・フォーカスがずれる。しかしこの場合、第５グリッドＧ５１の第４グリッドＧ４との対向面の一対のサイドビーム通過孔が第４グリッドＧ４の第５グリッドＧ５１との対向面の一対のサイドビーム通過孔に対して偏心していることにより、これら第４、第５グリッドＧ４，Ｇ５１間に形成される偏心レンズの強度は、第３、第４グリッドＧ３，Ｇ４、第４、第５グリッドＧ４，Ｇ５１間の静電容量を介して重畳されるダイナミック・フォーカス電圧ＶＤの変動成分により弱まり、一対のサイドビームを３電子ビームの配列方向の外側に曲げる第５グリッドＧ５１，Ｇ５２間に形成される偏心レンズの作用を相殺する。
【００３２】
この偏心レンズの強度は、第５グリッドＧ５２に重畳されるダイナミック・フォーカス電圧ＶＤの重畳率などから決定され、それにより、第５グリッドＧ５２に周波数の高いダイナミック・フォーカス電圧ＶＤを印加し、そのために第５グリッドＧ５１の電圧が変化しても、フォーカス調整時に、一対のサイドビームの軌道を変化させないようにすることができ、またカラー受像管の駆動時も、画面周辺部でのコンバーゼンスのずれをなくし、品位良好な画像を表示するカラー受像管とすることができる。
【００３３】
つぎに前記基本構成をもつ実用的な別の電子銃について説明する。
【００３４】
図４に示す電子銃１７は、水平方向に所定間隔で一列配置された３個のカソードＫ、これらカソードＫを各別に加熱する３個のヒータ（図示せず）、上記カソードＫから蛍光体スクリーン方向に順次所定間隔で配置された一体化構造の第１ないし第４グリッドＧ１  〜Ｇ４  、４分割された第５グリッドＧ５１〜Ｇ５４、２個の中間電極ＧＭ１，ＧＭ２、および第６グリッドＧ６  からなる。
【００３５】
その第１および第２グリッドＧ１  ，Ｇ２  は一体化構造の比較的板厚の薄い板状電極から、第４、第５、第６グリッドＧ４  ，Ｇ５１〜Ｇ５４，Ｇ６  は一体化構造の筒状電極から、中間電極ＧＭ１，ＧＭ２は、一体化構造の比較的板厚の厚い板状電極からなる。これら各電極には、３個のカソードＫに対応して、センタビーム通過孔および一対のサイドビーム通過孔からなる３個の電子ビーム通過孔が水平方向に一列配置に形成されている。特にカソードＫ側に配置された第５グリッドＧ５１の第４グリッドＧ４  との対向面の一対のサイドビーム通過孔は、第４グリッドＧ４  の第５グリッドＧ５１との対向面の一対のサイドビーム通過孔に対して、また蛍光体スクリーン側に配置された第５グリッドＧ５４の第５グリッドＧ５３との対向面の一対のサイドビーム通過孔は、第５グリッドＧ５３の第５グリッドＧ５４との対向面の一対のサイドビーム通過孔に対して、また中間電極ＧＭ２および第６グリッドＧ６  の中間電極ＧＭ２との対向面の一対のサイドビーム通過孔は、第５グリッドＧ５４の中間電極ＧＭ１との対向面の一対のサイドビーム通過孔に対して、それぞれ３電子ビームの配列方向の外側に偏心している。
【００３６】
その第１グリッドＧ１には０Ｖ、第２グリッドＧ２と第４グリッドＧ４とは接続され、これら第２、第４グリッドＧ２，Ｇ４には、それぞれ約８００Ｖの直流電圧がカラー受像管外部から、また第３グリッドＧ３と第５グリッドＧ５４とは接続され、これら第３、第５グリッドＧ３，Ｇ５４には、調整可能な一定の直流電圧に電子ビームを偏向する偏向装置の偏向周期に同期して変化するパラボラ状の電圧が重畳されたダイナミック・フォーカス電圧ＶＤがカラー受像管外部から、また第５グリッドＧ５１と５３とは接続され、これら第５グリッドＧ５１，Ｇ５３には、抵抗器１８により陽極電圧Ｅｂ（２５ｋＶ〜３５ｋＶ）を抵抗分割して、その２８〜３０％程度の電圧が、第５グリッドＧ５２と中間電極ＧＭ１とは接続され、これら第５グリッドＧ５２と中間電極ＧＭ１とには、抵抗器１８により抵抗分割された陽極電圧Ｅｂの４０％程度の電圧が、中間電極ＧＭ２には、抵抗器１８により抵抗分割された陽極電圧Ｅｂの６５％程度の電圧が、第６グリッドＧ６には、陽極電圧Ｅｂがそれぞれ印加される。
【００３７】
それにより、カソードＫおよび第１、第２、第３グリッドＧ１，Ｇ２，Ｇ３により電子ビーム発生部が形成され、第３、第４、第５グリッドＧ３，Ｇ４，Ｇ５１によりサブレンズ部が、第５グリッドＧ５１〜Ｇ５４、中間電極ＧＭ１，ＧＭ２および第６グリッドＧ６により主レンズ部が形成され、電子ビーム発生部から得られる３電子ビームは、サブレンズ部で予備集束され、主レンズ部により最終的に蛍光体スクリーン上に集束されるとともに、中間電極ＧＭ２および第６グリッドＧ６の中間電極ＧＭ２との対向面の一対のサイドビーム通過孔が、第５グリッドＧ５４の中間電極ＧＭ１との対向面の一対のサイドビーム通過孔に対して、それぞれ３電子ビームの配列方向の外側に偏心していることにより、これら中間電極ＧＭ１と第６グリッドＧ６間に形成される偏心レンズにより、蛍光体スクリーンの中央上の一点に集中（スタティック・コンバーゼンス）される。
【００３８】
この電子銃１７では、フォーカス電圧の調整は、第３および第５グリッドＧ３，Ｇ５４にカラー受像管外部から印加される直流電圧を調整することによりおこなわれるが、この場合、図５に示すように、第５グリッドＧ５４、中間電極ＧＭ１，ＧＭ２および第６グリッドＧ６により形成される電子レンズ部に３電子ビーム共通の電界２８が形成され、第５グリッドＧ５４の電圧を変化させると、この３電子ビーム共通の電界２８が変化し、図４（ｂ）に実線２９で示すように、第５グリッドＧ５４の電圧が上がると、第５、第６グリッドＧ５４，Ｇ６間に形成される３電子ビーム共通の電界２８が弱まり、一対のサイドビームは、３電子ビームの配列方向の外側に曲げられる。逆に第５グリッドＧ５４の電圧が下がると、３電子ビームの配列方向の内側に曲げられる。これに対し、第５グリッドＧ５４の第５グリッドＧ５３との対向面の一対のサイドビーム通過孔は、第５グリッドＧ５３の第５グリッドＧ５４との対向面の一対のサイドビーム通過孔に対して偏心を適切にすることにより、これら第５グリッドＧ５３，Ｇ５４間に形成される偏心レンズは、第５グリッドＧ５４の電圧が上がると、一対のサイドビームを３電子ビームの配列方向の内側に曲げ、逆に第５グリッドＧ５４の電圧が下がると、３電子ビームの配列方向の外側に曲げる。その結果、一対のサイドビームの軌道を変化させないようにすることができ、画面中央における３電子ビームのコンバーゼンスがずれないように、きわめて容易にフォーカス電圧を調整することができる。
【００３９】
またカラー受像管の駆動時、図４（ｃ）に実線３０で示すように、第３および第５グリッドＧ３，Ｇ５４に偏向装置の偏向周期に同期して高い周波数で変化する電圧が重畳されたダイナミック・フォーカス電圧を印加すると、そのダイナミック・フォーカス電圧の変動成分が、第３および第５グリッドＧ３，Ｇ５４と抵抗器に接続された第５グリッドＧ５１，Ｇ５２，Ｇ５３や中間電極ＧＭ１，ＧＭ２などの各電極間の静電容量を介して、各電極Ｇ５１，Ｇ５２，Ｇ５３，ＧＭ１，ＧＭ２に破線３１で示すように重畳される。そのため、中間電極ＧＭ１と第６グリッドＧ６との間に形成される偏心レンズの強度および第５グリッドＧ５２，Ｇ５３間に形成される偏心レンズの強度が変化し、一対のサイドビームの軌道が変化し、画面周辺部のダイナミック・フォーカスがずれる。すなわち、中間電極ＧＭ１と第６グリッドＧ６との間に形成される偏心レンズの強度が弱まることにより、一対のサイドビームは、３電子ビームの配列方向の外側に曲げられる。また第５グリッドＧ５２，Ｇ５３間に形成される偏心レンズの強度が弱まり、一対のサイドビームは、３電子ビームの配列方向の外側に曲げられる。その結果、画面周辺部のコンバーゼンスは、不足集中となる。しかしこの場合、第５グリッドＧ５１の第４グリッドＧ４との対向面の一対のサイドビーム通過孔が第４グリッドＧ４の第５グリッドＧ５１との対向面の一対のサイドビーム通過孔に対して偏心していることにより、これら第４、第５グリッドＧ４，Ｇ５１間に形成される偏心レンズの強度が、第３、第４グリッドＧ３，Ｇ４、第４、第５グリッドＧ４，Ｇ５１間の静電容量を介して重畳されるダイナミック・フォーカス電圧の変動成分により強まり、一対のサイドビームを３電子ビームの配列方向の外側に曲げる第５グリッドＧ５３，Ｇ５４間および中間電極ＧＭ１と第６グリッドＧ６との間に形成される偏心レンズの作用を相殺する。
【００４０】
つまり、この電子銃１７も、フォーカス調整時に、一対のサイドビームの軌道を変化しないようにすることができる。またカラー受像管の駆動時も、画面周辺部でのコンバーゼンスずれをなくし、品位良好な画像を表示するカラー受像管とすることができる。
【００４１】
【発明の効果】
上述のようにカラー受像管を構成すると、フォーカス電圧の調整時に、そのフォーカス電圧が印加される電極（ダイナミック・フォーカス電圧が印加される電極）のフォーカス電圧を変化させても、３電子ビームの軌道は変化せず、また３電子ビームの偏向に同期して変化するダイナミック・フォーカス電圧が印加されるとき、このダイナミック・フォーカス電圧の変動成分が電極間の静電容量を介して抵抗分割された電圧の印加される電極に重畳されても、抵抗器により分割された電圧の印加される少なくとも１個の電極とこの電極と対向する一定の電圧の印加される少なくとも１個の電極とにより形成される偏心レンズにより、一対のサイドビームの軌道を補正して、画面周辺部でのコンバーゼンスずれを補正することができ、画面全域にわたり、品位良好な画像を表示するカラー受像管とすることができる。
【図面の簡単な説明】
【図１】図１（ａ）はこの発明に係るカラー受像管の電子銃の基本構成を示す図、図１（ｂ）はその各電極に印加される電圧を図１（ａ）に示した電極と対比して示す図である。
【図２】この発明の一実施例であるカラー受像管の構成を示す図である。
【図３】図３（ａ）は上記カラー受像管の実用的な電子銃の構成を示す図、図３（ｂ）はフォーカス電圧調整時に各電極に印加される電圧を図３（ａ）に示した電極と対比して示す図、図３（ｃ）はカラー受像管駆動時に各電極に印加される電圧を図３（ａ）に示した電極と対比して示す図である。
【図４】図４（ａ）は構成の異なる実用的な電子銃の構成を示す図、図４（ｂ）はフォーカス電圧調整時に各電極に印加される電圧を図４（ａ）に示した電極と対比して示す図、図４（ｃ）はカラー受像管駆動時に各電極に印加される電圧を図４（ａ）に示した電極と対比して示す図である。
【図５】図４（ａ）に示した電子銃の第５グリッドの蛍光体スクリーン側の電極と第６グリッドとの間に形成される電界を示す図である。
【図６】従来のダイナミック・フォーカス方式の電子銃の構成を示す図である。
【符号の説明】
１２…蛍光体スクリーン
１６Ｂ，１６Ｒ…一対のサイドビーム
１６Ｇ…センタービーム
１７…電子銃
１８…抵抗器
Ｇ１…第１グリッド
Ｇ２…第２グリッド
Ｇ３…第３グリッド
Ｇ４…第４グリッド
Ｇ５１〜Ｇ５４…第５グリッド
Ｇ６…第６グリッド
ＧＭ１，ＧＭ２…中間電極
Ｋ…カソード
【図１】
0003580568.tif 000002
【図２】
0003580568.tif 000003
【図３】
0003580568.tif 000004
【図４】
0003580568.tif 000005
【図５】
0003580568.tif 000006
【図６】
0003580568.tif 000007